(57)【要約】【課題】電力管理の方法及び機器 【解決手段】データパケットのバーストによって送信される信号の復調器（１０）であり、処理すべきバースト（Ｂ０…Ｂ９）の識別子（ＰＩＤ）を、別のプロセッサー（６）から受信する手段（２０，１２）と、前記信号をフィルタして、受信されている識別子を有するバーストを回収する手段（１４）と、前記回収されたバーストを処理する手段（１６）と、処理すべきバーストの識別子（ＰＩＤ）に関連付けられたタイミング情報を、前記別のプロセッサーから受信するための手段（２０，２２）と、前記タイミング情報に依存して、非動作状態と動作状態との間で、前記復調器の少なくともいくつかの構成要素（１４，１６）を駆動するように構成された電力管理手段とを具備する。【選択図】図１
2007329901.tif 000002
【特許請求の範囲】
【請求項１】
別のプロセッサ（６）から、処理すべきバースト（Ｂ０，…，Ｂ９）の識別子（ＰＩＤ）を受信する手段（２０，１２）と、
識別子が受信されたバーストを回収するために信号をフィルタする手段（１４）と、
前記回収されたバーストを処理する手段（１６）とを具備し、データパケットからなるバーストによって送信される信号の復調器（１０）において、
処理すべきバーストの識別子（ＰＩＤ）に関連付けられたタイミング情報を、前記別のプロセッサーから受信する手段（２０，２２）と、
前記タイミング情報に依存して、前記復調器の少なくともいくつかの構成要素（１４，１６）を、非動作状態及び動作状態の間で駆動するように構成された電力管理手段（２４）とを具備することを特徴とする復調器。
【請求項２】
前記電力管理手段（２４）は、
前記タイミング情報に基づいて非動作期間及び動作期間を決定するように構成される決定構成要素（２６）と、
前記期間の間、非動作状態と動作状態との間で構成要素の切り替えを駆動する制御構成要素（２８）とを具備することを特徴とする請求項１に記載の復調器。
【請求項３】
前記決定構成要素（２６）は、各々の前記構成要素の次の動作期間の時刻及び継続期間を決定するように構成されていることを特徴とする請求項２に記載の復調器。
【請求項４】
前記電力管理手段（２４）が、動作状態と非動作状態との間で前記構成要素を切り替えるのに必要な時間を考慮に入れるように構成された、請求項１〜３のいずれか１項に記載の復調器。
【請求項５】
さらに、バースト識別子（ＰＩＤ）に関連付けられた優先度パラメータを受信する手段（２０）を具備し、前記電力管理手段（２４）は、前記優先度パラメータに依存して、前記構成要素を駆動するように構成されていることを特徴とする請求項１〜４のいずれか１項に記載の復調器。
【請求項６】
前記優先度パラメータは、期間を設定し、もし優先度パラメータに関連付けられた識別子を有するバーストが、対応する期間の間受信されないと、前記電力管理手段は、前記構成要素を動作状態に駆動するとともに、そのようなバーストが受信されるまで前記構成要素を動作状態に維持するように構成されていることを特徴とする請求項５に記載の復調器。
【請求項７】
前記優先度パラメータは、データバースト間の階層構造を設定し、前記電力管理手段は、より高い優先度レベルバーストの受信のために前記構成要素を動作状態に駆動し、かつより低い優先度レベルバーストを受信したときに前記構成要素を非動作状態に駆動するように構成されることを特徴とする請求項５に記載の復調器。
【請求項８】
前記優先度パラメータは、いくつかの通信チャネルに関連付けられるとともに、前記電力管理手段は、前記優先度パラメータに依存して、前記通信チャネル間で、遠隔チューナーの変更を開始させるように構成されることを特徴とする請求項５に記載の復調器。
【請求項９】
前記電力管理手段（２４）は、処理すべきバーストの受信開始後に、最長でも所定期間（ＷＡＴＣＨ  ＤＯＧ）の間、前記構成要素を動作状態に維持することを特徴とする請求項１〜８のいずれか１項に記載の復調器。
【請求項１０】
前記電力管理手段は、処理されるバーストを受信終了後、少なくとも所定期間（ＴＩＭＥ  ＯＵＴ）の間、前記構成要素を動作状態に維持するように構成されることを特徴とする請求項１〜９のいずれか１項に記載の復調器。
【請求項１１】
前記電力管理手段（２４）は、前記復調器内の構成要素（１４，１６）と、及び前記復調器とは別の構成要素（８）とを、動作状態と非動作状態との間で駆動するように構成されていることを特徴とする請求項１〜１０のいずれか１項に記載の復調器。 
【請求項１２】
前記バースト識別子（ＰＩＤ）を受信する手段及び前記タイミング情報を受信する手段は、バースト識別子（ＰＩＤ）とタイミング情報とが共用のメッセージで受信されたときに、それらを分離するように構成された単一の構成要素（２０）を具備することを特徴とする請求項１〜１１のいずれか１項に記載の復調器。
【請求項１３】
ホストプロセッサー（６）と、別の復調器（１０）とを具備し、データパケットのバーストによって送信される信号の受信機において、前記復調器が請求項１〜１２のいずれか１項に記載された復調器であることを特徴とする受信機。
【請求項１４】
データパケットのバーストによって送信された信号の復調器（１０）の電力管理方法であって、
処理すべきバースト（Ｂ０…Ｂ９）の識別子を、復調器で、かつ別のプロセッサー（６）から受信する（３０）段階と、
前記処理すべきバーストの識別子に関連付けられたタイミング情報を、復調器で、かつ別のプロセッサー（６）から受信する（２０）段階と、
前記タイミング情報に依存して、前記復調器の少なくともいくつかの構成要素（１４，１６）を、復調器（１０）によって、非動作状態と動作状態との間で駆動する（４４，４６，４８）段階とを具備することを特徴とする電力管理方法。
【請求項１５】
前記別のプロセッサー（６）から、バースト識別子（ＰＩＤ）に関連付けられた優先度パラメータを受信する段階と、
前記優先度パラメータを考慮に入れて前記構成要素の駆動が実行される段階とをさらに具備することを特徴とする請求項１４に記載の方法。
【請求項１６】
バースト識別子（ＰＩＤ）と、前記バースト識別子に関連付けられたタイミング情報とを有する単一のメッセージを受信する段階を具備する方法であって、前記バースト識別子及び前記タイミング情報を分離する（３２，３４）段階をさらに具備することを特徴とする、請求項１４及び１５のいずれか１項に記載の方法。
【請求項１７】
バースト識別子（ＰＩＤ）を有し、タイミング情報を有さないメッセージの受信に応答して、処理すべきバーストの識別子から、前記バースト識別子を削除する段階をさらに具備することを特徴とする請求項１４〜１６のいずれか１項に記載の方法。
【請求項１８】
データパケットのバーストによって送信される信号の復調器（１０）のためのコンピュータプログラムであって、前記復調器のプロセッサーにより実行されるとき、
処理すべきバースト（Ｂ…Ｂ９）の識別子（ＰＩＤ）を、復調器と別のプロセッサー（６）から受信する（３０）段階と、
前記処理すべきバーストに関連するタイミング情報を受信する（３０）段階と、
前記復調器の少なくともいくつかの構成要素（１４，１６）を制御して、前記タイミング情報に依存して、非動作状態及び動作状態の間で前記構成要素を駆動する段階とを実行する命令を具備することを特徴とするコンピュータプログラム。
【発明の詳細な説明】
【技術分野】
【０００１】
本発明は、データパケットのバーストで送信される信号の受信機の電力管理に関する。
【背景技術】
【０００２】
信号がバーストで送信される場合、受信機全体の電力消費を低減するために、バースト間でいくつかの構成要素に提供される電力を低減することは、都合が良い。
【０００３】
これは、例えば、データが時分割されるとともに、複数のバーストに亘って拡散されうる、ディジタルテレビジョン受信機に当てはまる。各バーストは、ＰＩＤとも呼ばれる識別子により識別される。より正確には、前記バーストは、複数のパケットを具備し、各前記パケットは同じＰＩＤを有する。
【０００４】
通常、そのような受信機では、別チップ上に実装されるとともに、例えば、データバーストの復調を管理しているコプロセッサーに対し、前記受信機のホストプロセッサーが命令を出す。
【０００５】
既存の受信機の中には、他の構成要素、例えばチューナーや復調器などに、動作状態と非動作状態との間で前記構成要素の切り替えを行うように駆動する命令を送信するホストプロセッサーに実装された電力管理機能を具備するものもある。
【０００６】
しかしながら、そのような電力管理を実行すると、前記ホストプロセッサーの計算時間が要求されるとともに、前記ホストプロセッサーと前記コプロセッサーとの間にあるバス上での通信量の増加を招来する。
【０００７】
さらに、このバスは、データバーストの損失を防止するために、遅延なく動作状態に切り替えるための命令を送信するために、利用可能状態を維持しなくてはならない。
【０００８】
これらの欠点のため、そのような電力管理は効率的ではない。
【発明の開示】
【発明が解決しようとする課題】
【０００９】
本発明の目的は、これらの問題を、電力管理を行う効率的な復調器と、対応する方法と、プログラムとを提供することによって解決することである。
【課題を解決するための手段】
【００１０】
上記趣旨に鑑み、本発明は、請求項１に特定される、バーストによって送信される信号の復調器に関するとともに、請求項１４に特定される、対応する方法に関する。本発明は、また、請求項１８に特定されるプロセッサープログラムにも関する。
【００１１】
タイミング情報を送信するとともに、復調器のコプロセッサーによって電力管理を実行する結果、電力管理はより効率的になる。さらに、前記ホストプロセッサーと、前記ホストプロセッサー及び前記コプロセッサー間の前記バスとを、他の機能のためにより利用可能である。
【００１２】
本発明の他の特徴及び利点は、添付図面で図示される説明から明らかになる。
【発明を実施するための最良の形態】
【００１３】
図１は、本発明によるとともに、ＤＶＢ−Ｈ又はＤＶＢ−Ｔ送信でＭＰＥＧ−２フォーマットを使用するディジタルテレビジョン信号のような、無線周波数（ＲＦ）信号を受信するように構成された受信機２を示している。
【００１４】
そのような送信は、複数のデータパケットのバーストにまたがるプログラムを具備する。データバーストの各パケットは、ＰＩＤと呼ばれるパケット識別子又はバースト識別子とともに送信される。 
【００１５】
パケットは、さらに、ＥＳとして参照される基本的なストリームへと区分され、かつ送信チャネル上で多重化される。 
【００１６】
送信に関する現行の規格によると、各パケットは、前記パケットと、同じＰＩＤを有する次のパケットバーストとの間の期間に関するタイミング情報を具備している。
【００１７】
また、これらの規格によると、タイミング情報を有さないデータもある。これは、利用可能なタイムスロットにおいて、又は他の何らかのサービスにおいて送信される、プログラムサービス情報（ＰＳＩ）、又はサービス情報（ＳＩ）とも呼ばれる、サービスデータバースト、又はメタデータバーストに当てはまる。
【００１８】
前記受信機２は、ＲＦ信号を受信するアンテナ４と、ホストプロセッサー６と、復調器１０に出力が接続されているチューナー８とを具備する。
【００１９】
通常は、復調器１０は、各受信周波数又はチャネル周波数に対し、処理しなければならないデータパケットのバーストを特定するＰＩＤのリストを有するＰＩＤ表１２を具備している。ＰＩＤフィルタ１４は、チューナー８の下流に接続され、信号をフィルタするとともに、表１２に存在するＰＩＤを有するデータバーストを回収するためにこのＰＩＤ表１２にアクセスする。
【００２０】
前記ＰＩＤフィルタ１４の出力は、適切な復調、又は等化処理を適用して、Ｓと呼ばれる情報信号を生成する復調部１６に与えられる。前記情報信号Ｓは、受信機２に関連付けられた他の処理回路に供給される。
【００２１】
説明される実施形態では、復調器１０はまた、ＰＩＤ表１２に登録されているいくつかのＰＩＤと、これらのＰＩＤに関連付けられたタイミング情報とを、ホストプロセッサー６から受信するように構成された受信部２０を具備する。前記タイミング情報は、復調器１０内部の対応する表２２に記憶される。
【００２２】
前記復調器１０はまた、タイミング表２２内のタイミング情報に依存して、前記受信機の構成要素を、非動作状態と動作状態との間で駆動するように構成された電力管理部２４を具備する。
【００２３】
説明される実施例では、電力管理部２４は、チューナー８と、ＰＩＤフィルタ１４と、復調部１６とを、ともに動作状態と非動作状態との間で駆動する。非動作時には、全ての受信部が電力オフされているので、それ以上のデータは受信も処理もされない。
【００２４】
より正確には、電力管理部２４は、非動作期間及び動作期間の決定をするための構成要素２６と、前記期間の間、それぞれ非動作状態及び動作状態の間で構成要素を駆動する制御構成要素２８とを具備する。
【００２５】
これらの部分、又は構成要素の全て、又は一部分は、復調器チップ内に組み込まれるコプロセッサー内に一体化するのが好ましい。
【００２６】
ここで、図２を参照して、この機器の全体的な機能を説明する。
【００２７】
段階３０において、ホストプロセッサー６は、復調器１０に、さらなる処理のために前記ＰＩＤ表に登録しなければならない新規のＰＩＤを送信する。
【００２８】
説明される実施例では、ＰＩＤ１は、関連付けられたタイミング情報とともに、単一のメッセージ内で送信される。 
【００２９】
前記メッセージは、受信手段２０によって受信され、前記受信手段２０は、ＰＩＤとタイミング情報とを分離して、それぞれを段階３２の間にＰＩＤ表１２と、段階３４の間にタイミング表とに送信する。
【００３０】
これにより、ＰＩＤ表１２内にＰＩＤ１を登録する段階３３と、タイミング表２２内のＰＩＤ１に関連するタイミング情報を登録する段階３５とに至る。
【００３１】
ホストプロセッサー６はまた、段階３６の間にメッセージを送信し、ＰＩＤを、即ちＰＩＤ０を前記ＰＩＤ表から削除する。
【００３２】
この実施例では、ＰＩＤを表１２から削除するためにホストプロセッサ６によって送信されたメッセージは、このＰＩＤのみ運んでいる。このメッセージは、受信部２０によって受信され、受信部２０は、段階３９の間にＰＩＤ表１２からＰＩＤ０を削除するために、段階３８の間に表１２に前記メッセージを送信する。
【００３３】
説明される実施形態では、電力管理部３４は、ＰＩＤ表１２及びタイミング表２２のいかなる変化も検知するように構成されている。従って、電力管理部３４は、段階４０の間にＰＩＤ表１２とタイミング表２２とを読み込み、次に回収された前記タイミング情報に基づいて非動作期間及び動作期間を決定する段階４２が続く。
【００３４】
より正確には、上述のように、タイミング情報は、少なくとも、関連付けられたＰＩＤを有する次のバーストまでの期間の継続時間を具備する。
【００３５】
前記決定構成要素２６は、ＰＩＤ表１２の各ＰＩＤに対して、最後のバーストを受信した時点の時刻を記憶するように構成されている。次いで、前記タイミング情報を使用することにより、処理すべき次のバーストを受信する時刻を決定するように構成されている。
【００３６】
より正確には、説明された実施形態では、決定構成要素２６は、次の動作期間の時刻と、その継続時間とを決定するとともに記憶するように構成されている。
【００３７】
動作及び非動作期間の決定は、図３，４及び５を参照しながらより詳細に亘って説明される。
【００３８】
一度次の動作期間が決定されると、電力管理部２４は、例えば、段階４４で最初の電力オフ命令を送信することにより、非動作状態と動作状態との間で受信機２の構成要素を駆動する。その後、段階４６で電力オン命令を送信し、ＰＩＤ１を有するバーストの受信及び復調の段階４８を実行し、次に電力管理要素２４が、受信機２の構成要素を電力オフする段階５０が続く。
【００３９】
説明される実施例では、全ての構成要素が、動作状態と非動作状態との間で集約的に切り替えられる。あるいは、電力管理部が各構成要素を別々に駆動する。
【００４０】
図３，４及び５を参照して、動作期間及び非動作期間の決定部５の詳細をここでさらに説明する。
【００４１】
図３の第１行目に、特定の１つの通信チャネル上で受信されたバースト列を表す。時間は、左から右へと流れる。
【００４２】
データバーストは、受信順にＢ０からＢ９へと参照され、Ｂ０は最初に受信されたバーストであるとともに、Ｂ９は最後のバーストである。バーストＢ０，Ｂ３及びＢ９のデータパケットは、同一のＰＩＤ、即ちＰＩＤ０を共有している。バーストＢ１，Ｂ２，Ｂ６及びＢ８のデータパケットは、識別子ＰＩＤ１を具備するとともに、バーストＢ４，Ｂ５及びＢ７のデータパケットは識別子ＰＩＤ２を具備している。
【００４３】
行Ｌ１上に、動作期間決定の第１実施例を表す。
【００４４】
この実施形態では、電力管理部は、ＰＩＤ表１２内のＰＩＤを有するパケット、この実施例ではＰＩＤ１を有するパケットに該当するパケットバーストの受信に対してのみ、受信機を動作状態に駆動するように構成されている。
【００４５】
従って、受信機は、ＰＩＤ１を有する１つのデータバーストの受信に各々対応する４つの異なる期間に、電力管理部２４の制御の下に動作状態となる。受信機は、各バーストＢ１，Ｂ２，Ｂ６及びＢ８を受信した後に非動作状態に戻される。
【００４６】
行Ｌ２上で示される他の実施形態では、電力管理部は、構成要素が非動作状態と動作状態との間で切り替わるのに必要な時間を考慮に入れるように構成されている。電力オン及び／又は電力オフに時間がかかる構成要素もある。従って、２つの動作期間の間の間隔が短すぎると、動作状態と非動作状態との間で切り替えを行う意味がない。
【００４７】
このことは、各々の非動作状態に切り替える時点と、続いて動作状態に切り替える時点との間の各々の継続期間を、推定又は設定することによって実行される。もし、この継続期間が対応する構成要素に従って設定されたある閾値より短ければ、２つの動作期間は結合される。
【００４８】
示された実施例では、電力管理部は、受信機を、両データバーストＢ１，Ｂ２を受信する動作状態である第１期間で駆動し、次いで各データバーストＢ６及びＢ８を受信する動作状態である２つの異なる期間で駆動する。
【００４９】
行Ｌ３上で示される他の実施形態では、処理すべきバーストの受信開始から一度所定の期間が経過した時、電力管理機構が非動作状態に戻るよう構成されることを意味する、監視機能が実施されている。
【００５０】
この実施例では、最長期間は、１データパケットの想定継続時間を超える値に設定されている。従って、前記受信機が、例えば伝送損失のために、バーストＢ６の最終データパケットの終端を回収するのに失敗したとしても、電力管理部２４は、バーストＢ６の最終パケットの受信開始から想定期間が一度経過したら、受信機を非動作状態に駆動する。
【００５１】
行Ｌ４を参照して示される他の実施形態では、電力管理部は、ＰＩＤ表１２内のＰＩＤを有するデータパケットを受信した後、所定期間の間、受信機を動作状態に維持するように構成されている。この実施例では、前記期間は、「ＴＩＭＥ  ＯＵＴ」と呼ばれるとともに、２個のデータパケット間の最長間隔の継続期間に対応している。
【００５２】
従って、ＰＩＤが、ＰＩＤ表１２に含まれるバーストＢ２の最終パケットのようなデータパケットを受信した後、受信機は、続くデータパケット、即ち、バーストＢ３の第１データパケットのＰＩＤを受信するのに充分長い間動作状態に留まる。このようにして、前記電力管理部は、後続のデータパケットが処理すべきものではなくなることを検証した後にのみ、前記受信機を非動作状態に駆動する。
【００５３】
本発明はまた、バーストに関連付けられるとともに、タイミング情報とともに送信される優先度パラメータの使用も具備することが好ましい。これらの優先度パラメータは、非動作期間と動作期間とを決定するために使用される。
【００５４】
これらの優先度パラメータの使用によって、欠損した先行バーストのためにタイミング情報が利用不可能であるときに、プログラムの先頭バーストを効率的に受信すること、又は、例えば、ＰＳＩ及びＳＩメタデータバーストのような、所定間隔で送信されないデータバーストを受信することが可能になる。
【００５５】
図４を参照して説明される第１実施例では、優先度パラメータは関連付けられたＰＩＤを有するバーストを受信する前の非動作状態最長継続期間を設定する。そのような優先度パラメータは、優先期間として以下参照される。
【００５６】
この実施例では、データバースト及びメタデータバーストは、ＤＶＢ送信で通常行われるように、１つの通信チャネル上で多重化される。データバーストのストリームは、図３を参照して説明されるように、データバーストＢ０からＢ９までのストリームと同一である。
【００５７】
同時に、メタデータ、即ち、プログラムシステム情報（ＰＳＩ）又はシステム情報（ＳＩ）などを具備するバーストＢ＊０からＢ＊６までは、同じ通信チャネル上で受信される。それぞれＰＳＩ１及びＰＳＩ２と参照される２つの異なるメタデータバーストが受信される。
【００５８】
データバースト及びメタデータバーストは、区分されて多重化されて基本ストリームに入り、従って、同時に受信されるとともに処理される。
【００５９】
優先期間の使用を説明するために、データバーストＢ０の受信に先立って、ＰＳＩ２メタデータバーストに対応するＰＩＤが、ＰＩＤ表１２に登録されるとともに、対応するバーストが受信されると同時に削除されることを前提とする。
【００６０】
優先期間を実施する第１実施形態は、行Ｌ５上に示される。この実施形態では、ＰＳＩ２に関連付けられた優先度は非常に高く、従って優先期間はゼロに設定されている。復調器１０によってこの命令メッセージがホスト６から受信されると同時に、ＰＩＤ表１２内に対応するＰＩＤが記憶されるとともに、タイミング情報及び優先度パラメータは、タイミング表２２に記憶される。電力管理部２４がこれらのタイミング及び優先度情報にアクセスする際に、前記電力管理部２４は優先期間がゼロに設定されていることを検知し、即座に受信機を動作状態に駆動する。前記動作状態は、ＰＳＩ２を具備するメタデータバーストが受信されるまで維持される。この実施例では、前記受信機は、メタデータバーストＢ＊３の受信終了まで、前記動作状態が維持される。
【００６１】
その後、上述のようにデータバーストＢ６及びＢ８が受信されるまで、前記受信機は非動作状態に戻される。
【００６２】
行Ｌ６上で、優先期間が値Ｔに設定されている他の優先度レベルが示されている。従って、電力管理手段２４によって優先度情報がアクセスされてから一度優先期間Ｔが経過すると、電力管理部は、前記受信機を動作状態へと駆動する。もちろん、その間は、前記受信機はデータバーストＢ１，Ｂ２を受信するために電源オンされる。
【００６３】
優先期間Ｔの後、ＰＳＩ２のＰＩＤを有するバーストが受信されるまで、前記動作状態は維持される。この実施例では、対応するメタデータバーストはＢ＊４である。
【００６４】
バーストＢ＊４とバーストＢ６とは互いに重なり合っているので、一度Ｂ＊４バーストが受信されると、電力管理部は、データバーストＢ６の受信を完了するために、受信機を動作状態に維持する。その後、前記受信機はデータパケットＢ８の受信まで非動作状態に切り替えられる。
【００６５】
あるいは、行Ｌ７内に示されているように、ＰＳＩ２バーストに関連付けられた優先期間を無限とする。これは、電力管理部が、対応するバーストを受信する目的では、決して前記受信機を動作状態に駆動することはないことを意味する。しかしながら、前記ＰＩＤは前記ＰＩＤ表に記憶されているので、受信機は動作状態であることを利用して、このデータバーストを受信しても良い。
【００６６】
これは、例えば、データバーストＢ６を受信する場合に当てはまる。受信機は、データバーストＢ６を処理するために動作状態になっているとともに、同時にメタデータバーストＢ＊５が受信される。このようにして、バーストＢ＊５は処理される。
【００６７】
前記設定に依存して、受信機は、ＰＳＩ２バーストの受信状態に関わらず、データバーストＢ６の受信終了時に、非動作状態に切り替えても良いし、又は、示されているように、このメタデータバーストＢ＊５の受信終了まで、動作状態に維持しても良い。
【００６８】
図５を参照して、優先度パラメータがバースト間の階層構造を定義するために使用される、優先度パラメータの他の実施形態を説明する。
【００６９】
この実施例では、いくつかの通信チャネルが受信機によって監視されるとともに、受信及び処理のために復調器１０によって登録された各ＰＩＤが、優先度レベルと関連付けられる。
【００７０】
より正確には、前記実施例は、１つは主チャネルＣ０上の、かつもう１つは副チャネルＣ１上の２つのデータストリームを受信することに基づいている。チャネルＣ０上で受信されるデータストリームは、図４を参照して説明したデータストリームと同一である。チャネルＣ１上で受信されたデータストリームはまた、データバーストＢ’０からＢ’１０までと、メタデータバーストＢ＊’０からＢ＊’６までを有するＭＰＥＧ−２  ＤＶＢ−Ｈデータストリームである。
【００７１】
５段階の優先度、即ち０から４までが定義される。優先度レベル番号４は、主チャネル上の処理しなければならないデータバーストに対応し、かつ優先度レベル番号３は、主チャネル上のメタデータバーストに対応する。同様に、優先度レベル番号２は、副チャネル上のデータバーストに対応し、かつ優先度レベル番号１は、副チャネル上のメタデータバーストに対応する。優先度レベル番号ゼロは、優先度なしに対応する。
【００７２】
前記電力管理手段は、優先度レベル４のデータバーストを受信したときのみ復調器を電力オンするように構成されるとともに、それより低い優先度レベルのデータバーストを受信したことを確認した後のみ電力オフするように構成されている。前記電力管理手段はまた、前記チューナーの周波数変更を開始させて、受信チャネル間での変更を行うように構成されている。
【００７３】
例えば、チャネルＣ０のＰＩＤ１は優先度レベル４を有しており、Ｃ０上のＰＳ２は優先度レベル３を有しており、Ｃ１上のＰＩＤ２は優先度レベル２を有しており、かつＰＳＩ２は優先度レベル１を有している。他の全てのＰＩＤは、優先度レベルゼロを有する。
【００７４】
復調器は、いくつかのバーストが同じチャネル上にある場合に限り、前記いくつかのバーストを同時に受信するように構成されていることと、ＰＩＤは、バーストの開始位置にあることとを前提とする。これは、バーストの先頭が受信された場合に限り、前記復調器がバーストのＰＩＤを検出することができることを意味している。図５の最終行は、処理されたデータバーストを示している。
【００７５】
タイミング情報の使用により、復調器は、主チャネルＣ０上のデータバーストＢ１，Ｂ２，Ｂ６及びＢ８を受信するために電力オンされるようにスケジュールされる。前記復調器は、データバーストＢ１の受信の前にオフになり、かつ、バーストＢ１，Ｂ２のために動作状態に切り替えられる。
【００７６】
データバーストＢ２の受信の後、復調器は、同じチャネル上及び副チャネル上の低優先度レベルバーストをチェックする。これにより、チャネルＣ１上のバーストＢ’３の受信に至る。データバーストＢ’３の受信の後、優先度レベルゼロを有するバーストのみが、通信チャネル上で受信される。復調器は、このようにして非動作状態に切り替えられ、優先度レベル４のデータバーストＢ６の受信のためにのみ再度電力オンされる。
【００７７】
同時に、バーストＢ６を受信しているときに、復調器はまた、同じチャネル上のより低い優先度レベルを有するバーストＢ＊５を受信するとともに処理する。このようにして、前記電力管理手段は、バーストＢ＊５の受信の終了まで電力を供給する。
【００７８】
当該段階では、復調器は電力オフされるとともに、データバーストＢ８の受信のために再度電力オンされる。バーストＢ８の受信の後、バーストＢ＊６を発見するために、より低い優先度レベルバーストをチャネルＣ１上でチェックする。
【００７９】
この実施形態は、復調器の動作期間を最適化するのに非常に効果的である。もちろん、より高い優先度レベルバーストの受信を確実にするために、チャネル間を切り替えるのに必要な時間を考慮に入れるという条件の下で、この実施形態を複数のチャネルへと拡張しても良い。
【００８０】
もちろん、優先度パラメータを使用するさらなる実施形態及び説明された実施形態の組み合わせも実施可能である。
【００８１】
本発明の方法は、また、復調器のプロセッサーによって実行されるコンピュータプログラムであり、前記プロセッサーによって実行される時に、
処理すべきバーストの識別子のリストをホストプロセッサーから受信する段階と、
前記処理すべきバーストに関連付けられたタイミング情報を受信する段階と、
前記復調器の少なくともいくつかの構成要素を管理し、前記タイミング情報に依存して、前記いくつかの構成要素を、非動作状態と動作状態との間で駆動する段階とを実行する命令を具備するコンピュータプログラムによって実行されても良い。
【００８２】
このようなプログラムは、上述の実施形態のどれを実行するように構成されてもよく、かつ、ディジタルテレビジョン受信機、コンピュータ、ＰＤＡ、及びその他のデバイス、及びそれらの内部構成要素などのいかなる種類の機器に構成されても良い。
【図面の簡単な説明】
【００８３】
【図１】図１は、本発明による受信機のブロック図である。
【図２】図２は、本発明による方法のフローチャートである。
【図３】図３は、非動作期間及び動作期間を決定するいくつかの実施形態のフローチャートである。
【図４】図４は、非動作期間及び動作期間を決定するいくつかの実施形態のフローチャートである。
【図５】図５は、非動作期間及び動作期間を決定するいくつかの実施形態のフローチャートである。
【符号の説明】
【００８４】
２  受信機
４  アンテナ
６  ホストプロセッサー
８  チューナー
１０  復調器
１２  ＰＩＤ表
１４  ＰＩＤフィルタ
１６  復調部
２０  受信部
２２  タイミング表
２４  電力管理部
２６  決定構成要素
２８  制御構成要素
Ｓ  情報信号
【図１】
2007329901.tif 000003
【図２】
2007329901.tif 000004
【図３】
2007329901.tif 000005
【図４】
2007329901.tif 000006
【図５】
2007329901.tif 000007
【外国語明細書】
2007329901.tif 000008
2007329901.tif 000009
2007329901.tif 000010
2007329901.tif 000011
2007329901.tif 000012
2007329901.tif 000013
2007329901.tif 000014
2007329901.tif 000015
2007329901.tif 000016
2007329901.tif 000017
2007329901.tif 000018
2007329901.tif 000019
2007329901.tif 000020
2007329901.tif 000021
2007329901.tif 000022
2007329901.tif 000023
2007329901.tif 000024
2007329901.tif 000025
2007329901.tif 000026